(57)【要約】【課題】吸収性本体のフイット性をより高めて、尿等の横漏れと背腹漏れとを有効に防止できるようにする。【解決手段】おむつ本体２と、このおむつ本体２の股部Ｒの内面に接合される吸収性本体３とを備え、吸収性本体３には、少なくとも股下部分がおむつ幅方向Ｗに複数に分割された下層吸収性コア１３Ａと、この下層吸収性コア１３Ａの上方に配置される柔軟な上層吸収性コア１３Ｂとが設けられるとともに、下層吸収性コア１３Ａの分割隙間Ｔに位置させて、おむつ前後方向Ｘに伸張状態で添設される弾性部材９が配置されている。【選択図】  図２
2004350864.tif 000002
【特許請求の範囲】
【請求項１】
おむつ本体と、このおむつ本体の股部の内面に接合される吸収性本体とを備え、上記吸収性本体には、少なくとも股下部分がおむつ幅方向に複数に分割された下層吸収性コアと、この下層吸収性コアの上方に配置される柔軟な上層吸収性コアとが設けられるとともに、上記下層吸収性コアの分割隙間に位置させて、おむつ前後方向に伸張状態で添設される弾性部材が配置されていることを特徴とする使い捨て着用物品。
【請求項２】
おむつ本体と、このおむつ本体の外面側シートと肌面側シートとの間の股部に接合される吸収性本体とを備え、上記吸収性本体には、少なくとも股下部分がおむつ幅方向に複数に分割された下層吸収性コアと、この下層吸収性コアの上方に配置される柔軟な上層吸収性コアとが設けられるとともに、上記下層吸収性コアの分割隙間に位置させて、おむつ前後方向に伸張状態で添設される弾性部材が配置されていることを特徴とする使い捨て着用物品。
【請求項３】
上記上層吸収性コアは、上記肌面側シートの内面に接合されている請求項２記載の使い捨て着用物品。
【請求項４】
上記吸収性本体の両側部に位置する立ち上がりフラップが設けられている請求項１〜３のいずれか１項に記載の使い捨て着用物品。
【発明の詳細な説明】
【０００１】
【発明の属する技術分野】
本発明は、横漏れと背腹漏れとを有効に防止できる使い捨て着用物品に関する。
【０００２】
【従来の技術】
従来、外面側シートと肌面側シートとの間に接合した吸収性本体の吸収性コアをおむつ幅方向に複数に分割して、この分割した吸収性コア片の分割隙間に位置させて、おむつ前後方向に配置した弾性部材を外面側シートと肌面側シートとの間に接合する使い捨て着用物品がある。（例えば、特許文献１参照）。
【０００３】
上記使い捨て着用物品は、吸収性本体のフイット性を高めて尿等の横漏れを有効に防止できることができる。
【０００４】
【特許文献１】
特開２００２−１４３２１５号公報
【０００５】
【発明が解決しようとする課題】
しかしながら、引用文献１のような技術において、分割された吸収性コアの分割隙間をおむつ前後方向に流れる尿等に起因する背腹漏れも有効に防止したいという要望がある。
【０００６】
本発明は、上記要望に応えるためになされたもので、吸収性本体のフイット性をより高めて、尿等の横漏れと背腹漏れとを有効に防止できる使い捨ておむつを提供することを目的とするものである。
【０００７】
【課題を解決するための手段】
上記課題を解決するために、本発明の請求項１は、おむつ本体と、このおむつ本体の股部の内面に接合される吸収性本体とを備え、上記吸収性本体には、少なくとも股下部分がおむつ幅方向に複数に分割された下層吸収性コアと、この下層吸収性コアの上方に配置される柔軟な上層吸収性コアとが設けられるとともに、上記下層吸収性コアの分割隙間に位置させて、おむつ前後方向に伸張状態で添設される弾性部材が配置されていることを特徴とする使い捨て着用物品を提供するものである。
【０００８】
本発明の請求項２は、おむつ本体と、このおむつ本体の外面側シートと肌面側シートとの間の股部に接合される吸収性本体とを備え、上記吸収性本体には、少なくとも股下部分がおむつ幅方向に複数に分割された下層吸収性コアと、この下層吸収性コアの上方に配置される柔軟な上層吸収性コアとが設けられるとともに、上記下層吸収性コアの分割隙間に位置させて、おむつ前後方向に伸張状態で添設される弾性部材が配置されていることを特徴とする使い捨て着用物品を提供するものである。
【０００９】
請求項３のように、請求項２において、上記上層吸収性コアは、上記肌面側シートの内面に接合されている構成とすることができる。
【００１０】
請求項４のように、請求項１〜３において、上記吸収性本体の両側部に位置する立ち上がりフラップが設けられている構成とすることが好ましい。
【００１１】
【発明の作用および効果】
本発明の請求項１によれば、おむつ本体の股部に接合する吸収性本体に、分割した下層吸収性コアと、柔軟な上層吸収性コアとを設けて、下層吸収性コアの分割隙間に位置させて弾性部材を配置することにより、分割隙間のある下層吸収性コアを介して柔軟な上層吸収性コアが着用者の股間部分にフイットしやすくなるとともに、下層吸収性コアを介して柔軟な上層吸収性コアが弾性部材の収縮力により着用者の股間部分にフイットして、フイット性が高まって尿等の横漏れを有効に防止できるようになる。
【００１２】
また、柔軟な上層吸収性コアは、下層吸収性コアの分割隙間を覆って、尿等が背腹方向に流れようとするのを抑制するので、背腹漏れも有効に防止できるようになる。
【００１３】
本発明の請求項２によれば、おむつ本体の外面側シートと肌面側シートとの間の股部に接合する吸収性本体に、分割した下層吸収性コアと、柔軟な上層吸収性コアとを設けて、下層吸収性コアの分割隙間に位置させて弾性部材を配置することにより、請求項１と同様の効果を奏することができる。
【００１４】
請求項３によれば、上層吸収性コアを肌面側シートの内面に接合することにより、請求項２と同様の効果を奏することができる他、上層吸収性コアを着脱可能に接合すれば、必要に応じて上層吸収性コアのみを交換することが可能になる。
【００１５】
請求項４によれば、吸収性本体の両側部に位置して立ち上がりフラップを設ければ、尿等の横漏れをより有効に防止できるようになる。
【００１６】
【発明の実施の形態】
以下、本発明の実施の形態を図面を参照して詳細に説明する。
【００１７】
図１〜図３は、使い捨て着用物品であるパンツ型使い捨ておむつ１の実施形態である。パンツ型使い捨ておむつ１は、おむつ本体２と吸収性本体３とで基本構成されている。
【００１８】
上記おむつ本体２は、前腹部Ｐと後背部Ｑとの間の股部Ｒの両側に脚穴部Ｓを形成した内装（肌面側）シート４と外装（外面側）シート５とを備え、内装シート４と外装シート５との間の前腹部Ｐと後背部Ｑとのウエスト部分には、おむつ前後方向Ｘに狭い間隔で、複数本のウエスト用弾性部材６がおむつ幅方向Ｗに伸張状態で添設されているとともに、ボディ部分には、おむつ前後方向Ｘに広い間隔で、複数本のボディフィット用弾性部材７がおむつ幅方向Ｗに伸張状態で添設されている。
【００１９】
また、内装シート４と外装シート５との間の脚穴部Ｓには、脚穴に沿って複数本の脚穴用弾性部材８が伸張状態で添設されている。
【００２０】
そして、各弾性部材６〜８を間に挟んだ状態で、内装シート４と外装シート５とがホットメルト接着剤等で接着されている。
【００２１】
上記おむつ本体２がおむつ幅方向Ｗに横流れ状態で製造される場合には、前腹部Ｐ側の脚穴用弾性部材８（Ａ）は、連続状態で、前側の脚穴部Ｓに沿って湾曲状に添設され、股部Ｒで真っ直ぐに添設され、後側の脚穴部Ｓに沿って湾曲状に添設されるとともに、後背部Ｑ側の脚穴用弾性部材８（Ｂ）は、連続状態で、前側の脚穴部Ｓに沿って湾曲状に添設され、股部Ｒで真っ直ぐに添設され、後側の脚穴部Ｓに沿って湾曲状に添設されるようになる。なお、脚穴用弾性部材８（Ａ，Ｂ）は、股部Ｒで交差するように添設されていても良い。
【００２２】
そして、この添設の後、股部Ｒの中央部分においておむつ幅方向に所定の幅Ｗ１だけカットすることによって伸縮力を小さくしている。
【００２３】
上記内装シート４と外装シート５との接着体は、股部Ｒを境にして前腹部Ｐと後背部Ｑとを重ね合わせて、サイド部１ａを熱接合することにより、おむつ本体２として組み立てられるようになる。
【００２４】
上記内装シート４は、撥水性不織布材料（スパンボンド不織布、メルトブロー不織布、ＳＭＳ不織布等）が用いられる。好ましくは、目付１０〜２５ｇ／ｍ２の撥水性不織布材料である。また、内面のみを親水化〔界面活性剤を塗布する、あるいは親水性繊維（レーヨン、コットン等）の層を作る。〕しても良く、この場合には、肌に当接した場合の感触が良くなり、吸汗効果も期待できる。
【００２５】
上記外装シート５は、撥水性不織布材料（スパンボンド不織布、メルトブロー不織布、ＳＭＳ不織布等）が用いられる。好ましくは、目付１０〜２５ｇ／ｍ２の撥水性不織布材料である。
【００２６】
上記吸収性本体３のトップシート１０とバックシート１１との間には、それぞれ被覆シート１２Ａ，１２Ｂで包まれて、おむつ前後方向Ｘに延在する下層吸収性コア１３Ａと上層吸収性コア１３Ｂとが、ほぼ全面的にホットメルト接着剤等で接着されている。
【００２７】
ここで、「ほぼ全面的に接着する」とは、いわゆるべた塗りの意味だけではなく、コーター塗工、ビード塗工、スパイラルスプレー塗工、カーテンスプレー塗工などで、筋状などであってもほぼ全面に隙間を少なくして塗ることも意味するものである。
【００２８】
上記下層吸収性コア１３Ａは、一定の分割隙間Ｔを隔てておむつ幅方向Ｗに複数個（本例では４個）に分割されている。この下層吸収性コア１３Ａは、図３（ｄ）のように、おむつ幅方向Ｗに完全に分割されている必要は必ずしもなく、図３（ｃ）のように、おむつ前後方向Ｘの前後端部が繋がっていて、股下部分のみがおむつ幅方向Ｗに分割されていても良い。この場合、前後端部のつながり部分は１００ｍｍ以下が好ましく、１００ｍｍを越えると、次述する股間用弾性部材９の収縮力により湾曲状に曲げられにくくなる。
【００２９】
上記下層吸収性コア１３Ａの分割隙間Ｔには、おむつ前後方向Ｘに伸張状態で股間用弾性部材９がそれぞれ配置されて、各股間用弾性部材９は、バックシート１１の上面に接着されている。
【００３０】
上記股間用弾性部材９は、下層吸収性コア１３Ａの被覆シート１２Ａの内部に接着しても良く、また、バックシート１１の下面に接着する股下押えシート（不図示）との間に接着しても良く、さらに、上記内装シート４に接着する下側の股下押えシートとバックシート１１に接着する上側の股下押えシートとの間に接着しても良い。
【００３１】
上記下層吸収性コア１３Ａと上層吸収性コア１３Ｂの全横幅は３０〜２５０ｍｍ程度が好ましく、３０ｍｍ未満では吸収量が少なく、２５０ｍｍを越えると股間用弾性部材９の収縮力により湾曲状に曲げられにくくなる。しかし、最大５００ｍｍ程度とすることも可能である。
【００３２】
上記下層吸収性コア１３Ａの分割隙間Ｔは、５〜２０ｍｍ程度が好ましい。５ｍｍ未満ではバックシート１１に股間用弾性部材９を接着するのが困難であり、２０ｍｍを越えると股間用弾性部材９の収縮力により湾曲状に曲げられにくくなる。
【００３３】
上記上層吸収性コア１３Ｂは、下層吸収性コア１３Ａとほぼ同じ外形状に形成されているが、分割はされておらず、かつ、下層吸収性コア１３Ａよりも厚みが薄くて柔軟性を持たせている。なお、上層吸収性コア１３Ｂは、下層吸収性コア１３Ａとほぼ同じ外形状である必要は必ずしもなく、着用者の股部における排泄口近傍の分割隙間Ｔを少なくとも覆う形状であれば良い。
【００３４】
上記吸収性本体３のトップシート１０の内面（上面）の両側部には、おむつ前後方向Ｘに延在する立ち上がりフラップ１５の基端部１５ａがそれぞれ接着されて上方に立ち上げられ、その上端が内向きに折り返され、この折り返し内にフラップ用弾性部材１６がおむつ前後方向Ｘに伸張状態で添設されることにより、立ち上がりフラップ１５が立ち上がるようになる。この立ち上がりフラップ１５の前後端部の内面はトップシート１０に倒伏状態で接着されている。
【００３５】
上記吸収性本体３は、少なくとも吸収性コア１３Ａ，１３Ｂが上記おむつ本体２のボディフィット用弾性部材７に掛からないおむつ前後方向Ｘの長さに設定されている。しかし、ボディフィット用弾性部材７に掛かる長さであっても差し支えはない。
【００３６】
上記吸収性本体３の下層吸収性コア１３Ａと上層吸収性コア１３Ｂとは、トップシート１０とバックシート１１とに、ほぼ全面的にホットメルト接着剤等で接着されるとともに、このバックシート１１は、上記おむつ本体２の股部Ｒの内装シート４に、ほぼ全面的にホットメルト接着剤等で接着されるようになる。
【００３７】
上記おむつ本体２の脚穴用弾性部材８（Ａ，Ｂ）は、上述したように、おむつ幅方向に所定の幅Ｗ１だけカットされていて、その切断端部８ａは、上記吸収性本体３の両側縁部３ａに掛かるように臨まされている。なお、上記股間用弾性部材９には掛からないようにしている。
【００３８】
上記各吸収性コア１３Ａ，１３Ｂは、粉砕したパルプ繊維やセルロース繊維等の親水性繊維集合層に粒状の高分子吸水体を混合したものを、ティッシュペーパーなどの紙シートあるいは透液性不織布シート等の被覆シート１２Ａ，１２Ｂで包んで、所定形状（長方形状）に成形したものである。また、着用者が歩いたり、寝返りを打ったりしても形状を保持できるように、親水性繊維集合層中やシートに形状保持手段（ホットメルト接着剤の塗布、合成繊維の混合）を施しても構わない。なお、上層吸収性コア１３Ｂは、上記繊維や高分子吸水体をシート状に成形したシート状体（例えばエアレイド吸収体）等を、所定形状（砂時計型、ひょうたん型等）に成形して用いても構わない。
【００３９】
上記上層吸収性コア１３Ｂは、下層吸収性コア１３Ａよりも厚みが薄くて柔軟性を持たせており、例えば、各吸収性コア１３Ａ，１３Ｂの厚み合計が２〜１０ｍｍの範囲で、上層吸収性コア１３Ｂの厚みが１〜３ｍｍ、下層吸収性コア１３Ａの厚みが４〜１０ｍｍとすることが好ましい。
【００４０】
また、上層吸収性コア１３Ｂは、下層吸収性コア１３Ａの分割隙間Ｔと重なる部分の親水性繊維集合層の目付を他の部分の目付よりも低くすることが好ましい。目付を部分的に低くする方法としては、繊維を集積するコンベアやパターンドラム面に凹凸を設けて、低くするところを凸にする方法や繊維を集積する時点で回転する掻き取りロールの高さを変えて、多く集積する部分と少なく集積する部分との差をつけることにより部分的に目付を低くする方法がある。
【００４１】
上記トップシート１０は、透液性不織布材料が好ましい。例えば、親水性繊維（セルロース、レーヨン、コットン等）を用いた不織布材料、あるいは疎水性繊維（ポリプロピレン、ポリエステル、ポリアミド、ナイロン等）の表面を界面活性剤により処理し、透液性とした不織布材料が用いられる。好ましくは、目付１０〜２５ｇ／ｍ２の疎水性繊維の裏面を界面活性剤により処理し透液性とした透液性の不織布材料（ポイントボンド不織布、エアースルー不織布）である。
【００４２】
上記バックシート１１は、撥水性不織布材料（スパンボンド不織布、メルトブロー不織布、ＳＭＳ不織布等）、プラスチックフィルム（通気性であっても非通気性であっても良いが、好適な態様としては通気性プラスチックフィルムが望ましい）やその複合材料が用いられる。好ましくは、目付１５〜４０ｇ／ｍ２の通気性ポリエチレンフィルムである。
【００４３】
上記立ち上がりフラップ１５は、撥水性不織布材料（スパンボンド不織布、メルトブロー不織布、ＳＭＳ不織布等）が用いられる。好ましくは、目付１０〜２５ｇ／ｍ２の撥水性不織布材料である。
【００４４】
上記被覆シート１２Ａ，１２Ｂは、ティッシュペーパーなどの紙シートあるいは透液性不織布シート等が用いられる。
【００４５】
上記股下押えシート（不図示）は、撥水性不織布材料（スパンボンド不織布、メルトブロー不織布、ＳＭＳ不織布等）が用いられる。好ましくは、目付１０〜２５ｇ／ｍ２の撥水性不織布材料である。
【００４６】
上記各弾性部材６〜９，１６は、通常使い捨ておむつに用いられる弾性伸縮材料（ポリウレタン糸、ポリウレタンフィルム、天然ゴム等）が用いられ、各シート材料の間に伸張状態で、ホットメルト接着剤、熱接着、超音波接着など好適な添設手段でもって添設される。好ましくはゴム系のホットメルト接着剤である。
【００４７】
上記ウエスト用弾性部材６は、繊度７００〜２０００デシテックスのポリウレタン糸を、倍率２．０〜４．０倍に伸張して添設するのが好ましい。
【００４８】
上記ボディフィット用弾性部材７は、繊度３００〜７００デシテックスのポリウレタン糸を、倍率１．１〜２．０倍に伸張して添設するのが好ましい。
【００４９】
上記脚穴用弾性部材８は、繊度７００〜２０００デシテックスのポリウレタン糸を、倍率１．１〜３．０倍に伸張して添設するのが好ましい。
【００５０】
上記股間用弾性部材９は、繊度３００〜２０００デシテックスのポリウレタン糸を、倍率１．１〜４．０倍に伸張して添設するのが好ましい。
【００５１】
上記フラップ用弾性部材１６は、繊度３００〜２０００デシテックスのポリウレタン糸を、倍率１．１〜４．０倍に伸張して添設するのが好ましい。
【００５２】
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。なお、上記サイド部１ａについては、熱接合が好ましい。
【００５３】
上記のように構成したパンツ型使い捨ておむつ１では、おむつ本体２の股部Ｒに接着する吸収性本体３に、分割した下層吸収性コア１３Ａと、柔軟な上層吸収性コア１３Ｂとを設けて、下層吸収性コア１３Ａの分割隙間Ｔに位置させて股間用弾性部材９を配置することにより、分割隙間Ｔのある下層吸収性コア１３Ａを介して柔軟な上層吸収性コア１３Ｂが着用者の股間部分にフイットしやすくなるとともに、下層吸収性コア１３Ａを介して柔軟な上層吸収性コア１３Ｂが股間用性部材９の収縮力により湾曲状に曲げられて、着用者の股間部分にフイットするので、フイット性が高まって尿等の横漏れを有効に防止できるようになる。
【００５４】
また、柔軟な上層吸収性コア１３Ｂは、下層吸収性コア１３Ａの分割隙間Ｔを覆って、尿等が背腹方向に流れようとするのを抑制するので、背腹漏れも有効に防止できるようになる。
【００５５】
さらに、吸収性本体３の両側部に位置して立ち上がりフラップ１５を設けているので、尿等の横漏れをより有効に防止できるようになる。
【００５６】
さらにまた、股部Ｒにおける脚穴用弾性部材８の切断端部８ａを吸収性本体３の両側縁部３ａに掛かるように臨ませているから、おむつ本体２のウエスト部分が大きくずれ下がったような場合でも、脚穴用弾性部材８の収縮力によって、着用者に対する吸収性本体３の股部分とおむつ本体２の股部との密着状態が維持されるので、横漏れが発生しにくくなる。
【００５７】
上記実施形態では、吸収性本体３をおむつ本体２の股部Ｒの内装シート４の内面（上面）に、ほぼ全面的にホットメルト接着剤等で接着するようにしたものであったが、図４（ａ）に示すように、吸収性本体３をおむつ本体２の股部Ｒの内装シート４と外装シート５との間に、ほぼ全面的にホットメルト接着剤等で接着するようにしても良い。
【００５８】
この場合、立ち上がりフラップ１５の基端部１５ａは、内装シート４の内面（上面）の両側部に接着されて上方に立ち上げられるようになる。
【００５９】
また、図４（ｂ）に示すように、吸収性本体３の内、下層吸収性コア１３Ａをおむつ本体２の股部Ｒの内装シート４と外装シート５との間に、ほぼ全面的にホットメルト接着剤等で接着するとともに、上層吸収性コア１３Ｂを内装シート４の内面（上面）にほぼ全面的にホットメルト接着剤等で接着するようにしても良い。なお、上層吸収性コア１３Ｂを面ファスナー（メカニカルファスナー）や剥離可能な接着剤等で着脱可能に係止すれば、必要に応じて上層吸収性コア１３Ｂのみを交換することが可能になる。
【００６０】
上記実施形態は、おむつ本体２のサイド部２ａを熱接合したパンツタイプであったが、フロンタルテープとファスニングテープとを利用して前腹部Ｐと後背部Ｑとを着脱可能に係止するおむつタイプにも適用できることは言うまでもない。
【図面の簡単な説明】
【図１】パンツ型使い捨ておむつの斜視図である。
【図２】パンツ型使い捨ておむつの展開図である。
【図３】（ａ）は図２のＡ−Ａ線断面図、（ｂ）は図２のＢ−Ｂ線断面図、（ｃ）（ｄ）は、それぞれ下層吸収性コアの斜視図である。
【図４】（ａ）（ｂ）は、それぞれ変形例の図２のＡ−Ａ線に相当する断面図である。
【符号の説明】
１      パンツ型使い捨ておむつ
２      おむつ本体
３      吸収性本体
４      内装（肌面側）シート
５      外装（外面側）シート
９      股間用弾性部材
１３Ａ  下層吸収性コア
１３Ｂ  上層吸収性コア
１５    立ち上がりフラップ
Ｔ      分割隙間
Ｗ      おむつ幅方向
Ｘ      おむつ前後方向
【図１】
2004350864.tif 000003
【図２】
2004350864.tif 000004
【図３】
2004350864.tif 000005
【図４】
2004350864.tif 000006